(57)【特許請求の範囲】
【請求項１】
スライドレールアセンブリを含むスライドレールキットに着脱可能に接続されるように構成されたケーブル管理アセンブリであって、
第１のケーブル管理アームと、
前記第１のケーブル管理アームに可動に接続される第２のケーブル管理アームと、
前記第１のケーブル管理アーム及び前記第２のケーブル管理アームのうちの少なくとも一方を支持するように構成された支持フレームと、
前記支持フレームに配置される接続装置と、
を含み、
前記接続装置は、
長手体を有するベースであって、該長手体は第１の端部及び第２の端部を有し、該長手体の長手方向は前記スライドレールアセンブリの長手方向に対応する、ベースと、
係合部及び弾性部を有する係合部材であって、該係合部は前記ベースの第１の端部に隣接して位置し、該係合部は、該弾性部の弾性力に対応して係合位置に位置し、前記係合部材の係合部は、前記係合部材の係合部が係合位置に位置する場合に、前記スライドレールアセンブリの接続部材と係合するように構成されている、係合部材と、
操作部及びガイド部を有する操作部材であって、該操作部は、前記ベースの第２の端部に隣接して位置する、操作部材と、
を含み、
前記操作部材は、第１の位置から第２の位置に動かされるように前記操作部を介して操作されるように構成され、前記ガイド部は、前記係合部材の係合部を前記接続部材との係合から解除するため前記係合位置から遠ざけるために、前記操作部材の動きに対応して前記係合部材をガイドするように構成されている、ケーブル管理アセンブリ。
【請求項２】
第１の部分と、該第１の部分に実質的に垂直に接続される第２の部分とを有する支持部材をさらに含み、
前記支持フレームは、前記支持部材の第１の部分に接続され、前記接続装置のベースは、前記支持部材の第２の部分に接続され、
前記係合部材は、第１の係合区画、第２の係合区画及び該第１の係合区画と該第２の係合区画との間に接続される中間部を含み、前記係合部は該第１の係合区画に配置され、前記弾性部は、前記係合部と該中間部との間に接続され、該中間部は前記接続装置のベースに接続され、前記接続装置のベースは、前記係合部材の第２の係合区画に対応する開口を有し、
前記支持部材の第２の部分は第１の位置決め部及び第２の位置決め部を含み、前記係合部材の第２の係合区画は締結部を有し、該締結部は、前記接続装置のベースの第１の端部が第１の方向又は該第１の方向と反対の第２の方向に延びることができるようにするために前記第１の位置決め部及び前記第２の位置決め部のうちの一方と選択的に係合するように構成されている、請求項１に記載のケーブル管理アセンブリ。
【請求項３】
前記接続装置のベースは、前記支持部材の第２の部分の端に当接するように構成された第１の当接部と、前記操作部材に対応する第２の当接部とを有する、請求項２に記載のケーブル管理アセンブリ。
【請求項４】
前記接続装置のベース及び操作部材のうちの一方には、前記操作部材を前記接続装置のベースに対して限られた範囲で動かすことができるように前記接続装置のベースに前記操作部材を接続するために、シャフト部材の一部が貫通できるように構成された長手孔が形成されている、請求項２に記載のケーブル管理アセンブリ。
【請求項５】
前記操作部材を駆動して前記第１の位置に戻すために、前記操作部材に弾性力を提供するように構成された弾性部材をさらに含み、
前記操作部材の操作部は、前記接続装置のベースの第２の端部を越えて延びている、請求項３に記載のケーブル管理アセンブリ。
【請求項６】
前記ガイド部及び前記係合部材のうちの一方は、円弧面又は傾斜面を備える突起構造を有し、前記ガイド部及び前記係合部材のうちの他方は、当接面が延在する凹部を有し、
前記ガイド部が前記操作部材に対応して動かされると、前記突起構造は、前記係合部材の係合部を前記係合位置から遠ざけるために、前記凹部から遠ざけられて前記当接面に当接する、請求項１に記載のケーブル管理アセンブリ。
【請求項７】
スライドレールキットのケーブル管理アセンブリであって、該スライドレールキットは第１のスライドレールアセンブリ及び第２のスライドレールアセンブリを含み、該第１のスライドレールアセンブリは、第１のレールと、該第１のレールに対して可動な第２のレールとを含み、該第２のスライドレールアセンブリは、第３のレールと、該第３のレールに対して可動な第４のレールとを含み、該第３のレールは接続部材を備え、当該ケーブル管理アセンブリは、
前記第１のスライドレールアセンブリの第１のレールに着脱可能に接続される第１のケーブル管理アームと、
前記第１のケーブル管理アームに可動に接続される第２のケーブル管理アームであって、該第２のケーブル管理アームは、前記第１のスライドレールアセンブリの第２のレールに着脱可能に接続される、第２のケーブル管理アームと、
前記第１のケーブル管理アーム及び前記第２のケーブル管理アームのうちの少なくとも一方を支持するように構成された支持フレームと、
前記支持フレームに配置される接続装置であって、前記支持フレームは、該接続装置を介して前記第２のスライドレールアセンブリの第３のレールに着脱可能に接続される、接続装置と、
を含み、
前記接続装置は、
長手体を有するベースであって、該長手体は第１の端部及び第２の端部を有し、該長手体の長手方向は前記第２のスライドレールアセンブリの長手方向に対応する、ベースと、
係合部を有する係合部材であって、該係合部は前記ベースの第１の端部に隣接して位置し、前記係合部材の係合部は、前記係合部材の係合部が係合位置に位置する場合に、前記第３のレールの接続部材と係合するように構成されている、係合部材と、
操作部及びガイド部を有する操作部材であって、該操作部は、前記ベースの第２の端部に隣接して位置する、操作部材と、
を含み、
前記操作部材は、第１の位置から第２の位置に動かされるように前記操作部を介して操作されるように構成され、前記ガイド部は、前記支持フレームを前記第３のレールから取り外すために前記係合部材の係合部を前記係合位置から遠ざけるために、前記操作部材の動きに対応して前記係合部材をガイドするように構成されている、ケーブル管理アセンブリ。
【請求項８】
第１の部分と、該第１の部分に実質的に垂直に接続される第２の部分とを有する支持部材をさらに含み、
前記支持フレームは、前記支持部材の第１の部分に接続され、前記接続装置のベースは、前記支持部材の第２の部分に接続され、
前記係合部材は、第１の係合区画、第２の係合区画、弾性部及び該第１の係合区画と該第２の係合区画との間に接続される中間部を含み、前記係合部は該第１の係合区画に配置され、該弾性部は、前記係合部と該中間部との間に接続され、該中間部は前記接続装置のベースに接続され、前記接続装置のベースは、前記係合部材の第２の係合区画に対応する開口を有し、
前記支持部材の第２の部分は第１の位置決め部及び第２の位置決め部を含み、前記係合部材の第２の係合区画は締結部を有し、該締結部は、前記接続装置のベースの第１の端部が第１の方向又は該第１の方向と反対の第２の方向に延びることができるようにするために前記第１の位置決め部及び前記第２の位置決め部のうちの一方と選択的に係合するように構成されている、請求項７に記載のケーブル管理アセンブリ。
【請求項９】
前記接続装置のベース及び操作部材のうちの一方には、前記操作部材を前記接続装置のベースに対して限られた範囲で動かすことができるように前記接続装置のベースに前記操作部材を接続するために、シャフト部材の一部が貫通できるように構成された長手孔が形成されている、請求項８に記載のケーブル管理アセンブリ。
【請求項１０】
前記ガイド部及び前記係合部材のうちの一方は、円弧面又は傾斜面を備える突起構造を有し、前記ガイド部及び前記係合部材のうちの他方は、当接面が延在する凹部を有し、
前記ガイド部が前記操作部材に対応して動かされると、前記突起構造は、前記係合部材の係合部を前記係合位置から遠ざけるために、前記凹部から遠ざけられて前記当接面に当接する、請求項７に記載のケーブル管理アセンブリ。
【発明の詳細な説明】
【技術分野】
【０００１】
本発明はケーブル管理アセンブリに関し、より具体的には、操作が容易な、ケーブルを支持するためのケーブル管理アセンブリに関する。
【背景技術】
【０００２】
特許文献１及び特許文献２には一対のケーブル管理アームと、該一対のケーブル管理アームを支持するように構成された支持ロッドとを含むケーブル管理アセンブリが開示されている。特許文献３には、双方向ボタン（two-way  button）を横方向に押すことによって一対のケーブル管理アームの端部を、スライドレールキットから取り外すことができることが開示されている。
【０００３】
特許文献４及び特許文献５によれば、ケーブル管理アセンブリは、キャビネット内で電子機器のケーブルを管理するように構成されている。
【先行技術文献】
【特許文献】
【０００４】
【特許文献１】米国特許第９０７２１９０号明細書
【特許文献２】米国特許第９６４０９６１号明細書
【特許文献３】米国特許第９１６７７１７号明細書
【特許文献４】米国特許第８３７９４１０号明細書
【特許文献５】米国特許第９４５１７２９号明細書
【発明の概要】
【発明が解決しようとする課題】
【０００５】
しかしながら、キャビネットが側板を有し、ケーブル管理アセンブリをスライドレールキットから取り外す必要がある場合、キャビネットのケーブル及び／又は側板が障害となるため、限られた操作空間内で横方向に押す操作を行うのは容易ではない。従って、異なるケーブル管理アセンブリを開発することが重要である。
【０００６】
本発明は、スライドレールキットから容易に取り外すことが可能な、操作が容易なケーブル管理アセンブリに関する。
【課題を解決するための手段】
【０００７】
本発明の一実施形態によれば、ケーブル管理アセンブリは、第１のケーブル管理アームと、第２のケーブル管理アームと、支持フレームと、接続装置とを含む。第２のケーブル管理アームは第１のケーブル管理アームに可動に接続される。支持フレームは第１のケーブル管理アーム及び第２のケーブル管理アームのうちの少なくとも一方を支持するように構成されている。接続装置は支持フレームに配置される。接続装置は、ベースと、係合部材と、操作部材とを含む。ベースは長手体を有する。長手体は第１の端部及び第２の端部を有する。係合部材は係合部及び弾性部を有する。係合部はベースの第１の端部に隣接して位置し、係合部は、弾性部の弾性力に対応して係合位置に位置する。操作部材は操作部及びガイド部を有する。操作部は、ベースの第２の端部に隣接して位置する。操作部材は、第１の位置から第２の位置に動かされるように操作部を介して操作されるように構成されている。ガイド部は、係合部材の係合部を係合位置から遠ざけるために、操作部材の動きに対応して係合部材をガイドするように構成されている。
【０００８】
本発明の別の実施形態によれば、第１のスライドレールアセンブリ及び第２のスライドレールアセンブリを含むスライドレールキットのケーブル管理アセンブリを提供する。第１のスライドレールアセンブリは、第１のレールと、該第１のレールに対して可動な第２のレールとを含む。第２のスライドレールアセンブリは、第３のレールと、第３のレールに対して可動な第４のレールとを含む。第３のレールは接続部材を備える。ケーブル管理アセンブリは、第１のケーブル管理アームと、第２のケーブル管理アームと、支持フレームと、接続装置とを含む。第１のケーブル管理アームは第１のスライドレールアセンブリの第１のレールに着脱可能に接続される。第２のケーブル管理アームは第１のケーブル管理アームに可動に接続される。第２のケーブル管理アームは、第１のスライドレールアセンブリの第２のレールに着脱可能に接続される。支持フレームは第１のケーブル管理アーム及び第２のケーブル管理アームのうちの少なくとも一方を支持するように構成されている。接続装置は支持フレームに配置される。支持フレームは、該接続装置を介して第２のスライドレールアセンブリの第３のレールに着脱可能に接続される。接続装置は、ベースと、操作部材と、操作部材とを含む。ベースは長手体を有する。長手体は第１の端部及び第２の端部を有する。係合部材は係合部を有する。係合部はベースの第１の端部に隣接して位置する。係合部材の係合部は、係合部材の係合部が係合位置に位置する場合に、第３のレールの接続部材と係合するように構成されている。操作部材は操作部及びガイド部を有する。操作部は、ベースの第２の端部に隣接して位置する。操作部材は、第１の位置から第２の位置に動かされるように操作部を介して操作されるように構成されている。ガイド部は、支持フレームを第３のレールから取り外すために係合部材の係合部を係合位置から遠ざけるために、操作部材の動きに対応して係合部材をガイドするように構成されている。
【０００９】
様々な図面に図示する下記の好ましい実施形態の詳細な説明を読み終えた後、本発明の上記の目的及び他の目的が当業者に間違いなく明らかになる。
【図面の簡単な説明】
【００１０】
【図１】図１は、本発明の一実施形態に係る、キャビネットに適用された第１の状態にあるケーブル管理アセンブリを示す図である。
【図２】図２は、本発明の一実施形態に係る、キャビネットに適用された第２の状態にあるケーブル管理アセンブリを示す図である。
【図３】図３は、本発明の一実施形態に係る、ケーブル管理アセンブリの支持フレームをスライドレールに接続するように構成された接続装置の分解図である。
【図４】図４は、本発明の一実施形態に係る、操作部材が第１の位置に位置する状態で接続装置を介してスライドレールに接続されたケーブル管理アセンブリの支持フレームを第１の視角で示す図である。
【図５】図５は、図４の領域Ａの拡大図である。
【図６】図６は、本発明の一実施形態に係る、接続装置を介してスライドレールに接続されたケーブル管理アセンブリの支持フレームを第２の視角で示す図である。
【図７】図７は、図６の領域Ａの拡大図である。
【図８】図８は、本発明の一実施形態に係る、操作部材が操作されて第２の位置に動かされた状態で接続装置を介してスライドレールに接続されたケーブル管理アセンブリの支持フレームを第１の視角で示す図である。
【図９】図９は、図８の領域Ａの拡大図である。
【図１０】図１０は、本発明の一実施形態に係る、操作部材が操作されて第２の位置に動かされた状態で接続装置を介してスライドレールに接続されたケーブル管理アセンブリの支持フレームを第２の視角で示す図である。
【図１１】図１１は、図１０の領域Ａの拡大図である。
【図１２】図１２は、本発明の一実施形態に係る、所定の状態にあるケーブル管理アセンブリの接続装置のベースを示す図である。
【図１３】図１３は、図１２の領域Ａの拡大図である。
【図１４】図１４は、本発明の一実施形態に係る、所定の状態ではなくなるように操作されたケーブル管理アセンブリの接続装置のベースを示す図である。
【発明を実施するための形態】
【００１１】
図１は、複数のポスト、例えば一対の前側ポスト１２ａ及び一対の後ろ側ポスト１２ｂを含むキャビネット１０を示す図である。一般に、キャビネット１０は複数の壁板を備える。例えば、キャビネット１０は、２つの側面に側板１４を備える。加えて、キャビネット１０は、開けることが可能なドアプレートを前側及び後ろ側に備える。本実施形態では、キャビネット１０が開いた状態になるようにドアプレートがキャビネット１０から取り外されている。さらに、キャビネット１０は、複数のスライドレールキットを内部に備えることができる。本実施形態では、キャビネット１０は、第１のスライドレールアセンブリ１６及び第２のスライドレールアセンブリ１８を含む１つのスライドレールキットを備える。
【００１２】
図２に示すように、第１のスライドレールアセンブリ１６は、第１のレール２０と、第１のレール２０に対して長手方向に可動な第２のレール２２とを含む。第２のスライドレールアセンブリ１８は、第３のレール２４と、第３のレール２４に対して長手方向に可動な第４のレール２６とを含む。第１のスライドレールアセンブリ１６及び第２のスライドレールアセンブリ１８は、キャビネット１０内で２つの側面に対応して配置される。例えば、第１のスライドレールアセンブリ１６の第１のレール２０は、前側ブラケット２８及び後ろ側ブラケット３０を介してそれぞれ前側ポスト１２ａ及び後ろ側ポスト１２ｂに取り付けられる。第２のレール２２は、第１のレール２０に対して長手方向に可動であり、第２のレール２２は、電子機器、引出し等の保持物体３２を保持するように構成されている。本実施形態では、第２のレール２２は、電子機器を保持するように構成されている。保持物体３２は、第２のレール２２に支援されてキャビネット１０内に押し込むことができる。他方、第２のスライドレールアセンブリ１８は、第１のスライドレールアセンブリ１６と実質的に同一の構造を有する。したがって、さらなる説明は省略する。保持物体３２の後ろのケーブルを管理するために、保持物体３２の後ろにケーブル管理アセンブリ３４が配置される。
【００１３】
ケーブル管理アセンブリ３４は、第１のケーブル管理アーム３６、第２のケーブル管理アーム３８、支持フレーム４０及び接続装置４２を含む。第１のケーブル管理アーム３６は第１のスライドレールアセンブリ１６の第１のレール２０に着脱可能に接続されている。第２のケーブル管理アーム３８は、第１のケーブル管理アーム３６に可動に接続されている。例えば、第２のケーブル管理アーム３８は、枢動ベース３７を介して第１のケーブル管理アーム３６に枢結され、第２のケーブル管理アーム３８は第１のスライドレールアセンブリ１６の第２のレール２２に着脱可能に接続される。支持フレーム４０は、第１のケーブル管理アーム３６の底部及び第２のケーブル管理アーム３８の底部のうちの少なくとも１つを支持するように構成されている。接続装置４２は支持フレーム４０に配置されている。支持フレーム４０は、接続装置４２を介して第２のスライドレールアセンブリ１８の第３のレール２４に着脱可能に接続されている。
【００１４】
図３〜図７に示すように、接続装置４２は、ベース４４、係合部材４６及び操作部材４８を含む。
【００１５】
ベース４４は長手体を有する。長手体は、第１の端部４４ａ及び第２の端部４４ｂを有する。
【００１６】
係合部材４６は係合部５２及び弾性部５４を有する。係合部５２は、ベース４４の第１の端部４４ａに隣接して位置する。係合部５２は、第３のレール２４の接続部材５５と係合するように構成されている。接続部材５５はＣ字状の輪郭を有するとともに一対の接続区画５５ａを備えることが好ましい。具体的には、係合部５２は、弾性部５４の弾性力に対応して係合位置Ｌ１に位置するように構成され、係合部５２は、（図５及び図７に示すように）接続部材５５の接続区画５５ａと係合するように構成されている。
【００１７】
操作部材４８は操作部５６及びガイド部５８を有する。操作部５６は、ベース４４の第２の端部４４ｂに隣接して位置する。ガイド部５８は係合部材４６に対応する。
【００１８】
ケーブル管理アセンブリ３４は、第１の部分６０ａと、第１の部分６０ａに実質的に垂直に接続される第２の部分６０ｂとを有する支持部材６０をさらに含むことが好ましい。支持フレーム４０は、支持部材６０の第１の部分６０ａに接続される。例えば、支持フレーム４０の端部は、支持フレーム４０が支持部材６０に対して枢動するように、（図３に示すように）接続シャフト６２を介して支持部材６０の第１の部分６０ａに枢結されている。他方、接続装置４２のベース４４は、接続装置４２のベース４４が支持部材６０に対して枢動されるように、支持部材６０の第２の部分６０ｂに接続される(例えば枢結される)。
【００１９】
係合部材４６は、第１の係合区画６６ａ、第２の係合区画６６ｂ及び第１の係合区画６６ａと第２の係合区画６６ｂとの間に接続される中間部６６ｃを含むことが好ましい。係合部５２は第１の係合区画６６ａに配置される（図５を参照されたい）。弾性部５４は、係合部５２と中間部６６ｃとの間に接続される。中間部６６ｃはベース４４に接続（例えば固定接続）され、ベース４４は、係合部材４６の第２の係合区画６６ｂに対応する開口６８を有する（図３を参照されたい）。
【００２０】
ベース４４及び操作部材４８のうちの一方には、操作部材４８を限られた範囲内でベース４４に対して動かすことができるように操作部材４８をベース４４に接続するために、シャフト部材７８の一部が貫通できるように構成された長手孔７６が設けられることが好ましい。シャフト部材７８は、ベース４４が支持部材６０の第２の部分６０ｂに対して枢動できるように支持部材６０の第２の部分６０ｂを貫通することが好ましい。
【００２１】
ケーブル管理アセンブリ３４は、操作部材４８に弾性力を提供するように構成された弾性部材８０をさらに含むことが好ましい。操作部材４８は、弾性部材８０の弾性力に対応して第１の位置Ｐ１に戻るように駆動できる。例えば、弾性部材８０の両端は、操作部材４８及びベース４４にそれぞれ接続されている。操作部材４８の操作部５６は、ユーザーが容易に操作できるように、ベース４４の第２の端部４４ｂを越えて延びていることが好ましい。
【００２２】
操作部材４８のガイド部５８及び係合部材４６の一方は、円弧面又は傾斜面を備える突出構造を有することが好ましい。本実施の形態では、操作部材４８のガイド部５８が傾斜面５８ａを備える突起構造を有するが、本発明はこのような構成に限定されない。操作部材４８のガイド部５８及び係合部材４６のうちの他方は、当接面８２が延在する凹部４９を有する。本実施の形態では、当接面８２が延在する凹部４９を係合部材４６が有するが、本発明はそのような構成に限定されない。
【００２３】
図８〜図１１に示すように、操作部材４８は操作されて、操作部５６を介して第１の位置Ｐ１から第２の位置Ｐ２に移動するように構成されている。ガイド部５８は、係合部材４６の係合部５２を係合位置Ｌ１から遠ざけるために、操作部材４８の動きに対応して係合部材４６をガイドするように構成されている。
【００２４】
具体的には、操作部材４８の操作部５６が操作されて動かされ、操作部材４８のガイド部５８が操作部材４８に対応して動かされると、係合部材４６の係合部５２が係合位置Ｌ１から離れて係合解除位置Ｌ２に位置するようにガイド部５８の突起構造が係合部材４６の凹部４９から遠ざけられて（図１１に示すように）当接面８２に当接し、係合部材４６の係合部５２と第３のレール２４の接続部材５５の接続区画５５ａとの係合が解除される。即ち、接続装置４２の係合部材４６の係合部５２を係合解除位置Ｌ２に動かすことにより、支持フレーム４０を第３のレール２４の接続部材５５から取り外すことができる。
【００２５】
本実施形態の構成によれば、操作部材４８は、係合部材４６の係合部５２が係合位置Ｌ１から遠ざかるようさらに駆動させるために動かす（長手方向に動かす）ことができる。したがって、本実施形態のケーブル管理アセンブリ３４がスライドレールキットに取り付けられている場合、ユーザーが取り付け環境に基づいて調節することができるようにするために、操作部材４８を容易に操作して支持フレーム４０をスライドレール（例えば、第３のレール２４の接続部材５５）から取り外すことができる。
【００２６】
図１２〜図１４に示すように、支持部材６０の第２の部分６０ｂは第１の位置決め部７０ａ及び第２の位置決め部７０ｂを含む。係合部材４６の第２の係合区画６６ｂは、第１の位置決め部７０ａ及び第２の位置決め部７０ｂのうちの一方と選択的に係合する（互いに当接する）ように構成された締結部７２を有する。例えば、締結部７２は、ベース４４の第１の端部４４ａが（図１２に示すように）第１の方向Ｄ１に延びることができるようにするために第1の位置決め部７０ａと係合することができるか又はベース４４が（図１４に示すように）回転方向Ｒに沿ってシャフト部材７８を中心に回転して締結部７２を第２の位置決め部７０ｂと係合するように動かされた場合、ベース４４の第１の端部４４ａは、第１の方向Ｄ１とは反対の第２の方向Ｄ２に延びる。このような構成によれば、ケーブル管理アセンブリ３４の支持フレーム４０は、取り付け環境に基づいて異なる方向に調整できる。
【００２７】
ベース４４は、支持部材６０の第２の部分６０ｂの端に当接するように構成された第１の当接部７４を有することが好ましい。係合部材４６の締結部７２がユーザーによって操作されて（例えば、力Ｆを加えて係合部材４６の第２の係合区画６６ｂを動かして)、締結部７２を支持部材６０の第１の位置決め部７０ａ及び第２の位置決め部７０ｂのうちの一方から遠ざけると、第１の当接部７４は、支持部材６０の第２の部分６０ｂの端に当接して、ベース４４が支持部材６０に対して滑らかに回転するのを支援するように構成されている。加えて、ベース４４は、操作部材４８が操作方向に沿って安定的に移動するのを支援するために、操作部材４８に対応する第２の当接部８４を有する。
【００２８】
したがって、本発明の実施形態に係るケーブル管理アセンブリは以下のように特徴付けられる。
【００２９】
１）ユーザーは、操作部５６に力を加えて操作部材４８を第１の位置Ｐ１から第２の位置Ｐ２へと長手方向に動かすことができる。そのため、ガイド部５８は、係合部材４６の係合部５２が係合位置Ｌ１から遠ざかることができるように、操作部材４８の動きに対応して係合部材４６をガイドする。従来技術と異なるこのような構成によれば、キャビネットの側板１４によって制限される狭い横方向の空間内でケーブル管理アセンブリの操作部５６を操作でき、操作部材４８は、係合部材４６の係合部５２を係合位置Ｌ１から遠ざかるように駆動して、支持フレーム４０を第３のレール２４から取り外すことができる。
【００３０】
２）操作部材４８は、弾性部材８０の弾性力に対応して第１の位置Ｐ１で保持されるように構成されている。
【００３１】
３）ベース４４は、シャフト部材７８を介して異なる方向に延びるように回転させることができる。このような構成によれば、ケーブル管理アセンブリ３４の支持フレーム４０は、取り付け環境に基づいて異なる方向に調整できる。
【００３２】
当業者であれば、本発明の教示を維持しながら多くの変更及び改良が装置及び方法に加えられ得ることに容易に気付く。従って、上記の開示は、添付の請求項の範囲によってのみ限定されると解釈すべきである。
【符号の説明】
【００３３】
１０  キャビネット
１４  側板
１６  第１のスライドレールアセンブリ
１８  第２のスライドレールアセンブリ
２０  第１のレール
２２  第２のレール
２４  第３のレール
２６  第４のレール
２８  前側ブラケット
３０  後ろ側ブラケット
３２  保持物体
３４  ケーブル管理アセンブリ
３６  第１のケーブル管理アーム
３８  第２のケーブル管理アーム
４０  支持フレーム
４２  接続装置
４４  ベース
４６  係合部材
４８  操作部材
５２  係合部
５４  弾性部
５６  操作部
５８  ガイド部
６０  支持部材
【図１】
0006964156.tif 000002
【図２】
0006964156.tif 000003
【図３】
0006964156.tif 000004
【図４】
0006964156.tif 000005
【図５】
0006964156.tif 000006
【図６】
0006964156.tif 000007
【図７】
0006964156.tif 000008
【図８】
0006964156.tif 000009
【図９】
0006964156.tif 000010
【図１０】
0006964156.tif 000011
【図１１】
0006964156.tif 000012
【図１２】
0006964156.tif 000013
【図１３】
0006964156.tif 000014
【図１４】
0006964156.tif 000015